(57)【特許請求の範囲】
【請求項１】
コンピュータに、
患者に対して処方する薬剤の識別情報を含む処方箋を出力する指示と共に、前記指示に応じて出力する新たな処方箋の流用元となる処方箋のデータを受け付け、
前記患者のステータスが入院中か否かを判別し、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でない場合には、前記流用元となる処方箋に含まれる対象の薬剤に対応付けて記憶された薬剤名称の内、院内外で利用される一般名称を特定して前記新たな処方箋における薬剤名の表記に用いる制御を行う、
ことを含む処理を実行させるための処方箋出力プログラム。
【請求項２】
コンピュータに、
患者に対して処方する薬剤の識別情報を含む処方箋を出力する指示と共に、前記指示に応じて出力する新たな処方箋の流用元となる処方箋のデータを受け付け、
前記患者のステータスが入院中か否かを判別し、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記流用元となる処方箋に含まれる対象の薬剤に対応付けて記憶された薬剤名称の内、院内外で利用される一般名称を特定して前記新たな処方箋における薬剤名の表記に用いる制御を行う、
ことを含む処理を実行させるための処方箋出力プログラム。
【請求項３】
前記流用元となる処方箋における薬剤名の表記と、前記新たな処方箋における薬剤名の表記とが一致するか相違するかを示す情報を、前記新たな処方箋に含める請求項１又は請求項２記載の処方箋出力プログラム。
【請求項４】
コンピュータに、
入院する患者について外来時に出力された院外の処方箋に含まれる薬剤の名称を受け付け、
前記薬剤の名称に対応付けられた薬剤の識別情報を特定し、
特定した前記薬剤の識別情報に対応する薬剤の内、院内で処方可能な薬剤を特定し、薬剤名称として院内で利用されるローカル名称及び院内外で利用される一般名称を前記薬剤の識別情報に対応付けて記憶する記憶部を参照して、特定した薬剤のローカル名称を、院内の処方箋における薬剤名の表記に用いる制御を行う、
ことを含む処理を実行させるための処方箋出力プログラム。
【請求項５】
前記院内で処方可能な薬剤として、前記入院する患者に処方されている薬剤と、名称、成分、及び規格が一致する薬剤か、又は、前記入院する患者に処方されている薬剤と、成分及び規格が同等の薬剤を特定する請求項４記載の処方箋出力プログラム。
【請求項６】
前記院内で処方可能な薬剤として、前記同等の薬剤が複数特定された場合には、特定された複数の薬剤を選択可能な状態で出力する請求項５記載の処方箋出力プログラム。
【請求項７】
前記院内で処方可能な薬剤として、前記一致する薬剤又は前記同等の薬剤が特定されたか否か、及び前記同等の薬剤が特定された場合には、複数特定されたか否かを示す情報を、前記特定した薬剤と共に出力する請求項５又は請求項６記載の処方箋出力プログラム。
【請求項８】
患者に対して処方する薬剤の識別情報を含む処方箋を出力する指示と共に、前記指示に応じて出力する新たな処方箋の流用元となる処方箋のデータを受け付け、前記患者のステータスが入院中か否かを判別する判別部と、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でない場合には、前記流用元となる処方箋に含まれる対象の薬剤に対応付けて記憶された薬剤名称の内、院内外で利用される一般名称を特定して前記新たな処方箋における薬剤名の表記に用いる制御を行う表示制御部と、
を含む処方箋出力装置。
【請求項９】
患者に対して処方する薬剤の識別情報を含む処方箋を出力する指示と共に、前記指示に応じて出力する新たな処方箋の流用元となる処方箋のデータを受け付け、前記患者のステータスが入院中か否かを判別する判別部と、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記流用元となる処方箋に含まれる対象の薬剤に対応付けて記憶された薬剤名称の内、院内外で利用される一般名称を特定して前記新たな処方箋における薬剤名の表記に用いる制御を行う表示制御部と、
を含む処方箋出力装置。
【請求項１０】
入院する患者について外来時に出力された院外の処方箋に含まれる薬剤の名称を受け付ける受付部と、
前記薬剤の名称に対応付けられた薬剤の識別情報を特定し、特定した前記薬剤の識別情報に対応する薬剤の内、院内で処方可能な薬剤を特定し、薬剤名称として院内で利用されるローカル名称及び院内外で利用される一般名称を前記薬剤の識別情報に対応付けて記憶する記憶部を参照して、特定した薬剤のローカル名称を、院内の処方箋における薬剤名の表記に用いる制御を行う制御部と、
を含む処方箋出力装置。
【請求項１１】
コンピュータに、
患者に対して処方する薬剤の識別情報を含む処方箋を出力する指示と共に、前記指示に応じて出力する新たな処方箋の流用元となる処方箋のデータを受け付け、
前記患者のステータスが入院中か否かを判別し、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でない場合には、前記流用元となる処方箋に含まれる対象の薬剤に対応付けて記憶された薬剤名称の内、院内外で利用される一般名称を特定して前記新たな処方箋における薬剤名の表記に用いる制御を行う、
ことを含む処理を実行させる処方箋出力方法。
【請求項１２】
コンピュータに、
患者に対して処方する薬剤の識別情報を含む処方箋を出力する指示と共に、前記指示に応じて出力する新たな処方箋の流用元となる処方箋のデータを受け付け、
前記患者のステータスが入院中か否かを判別し、
薬剤名称として院内で利用されるローカル名称及び院内外で利用される一般名称を対応付けて記憶する記憶部を参照して、前記患者のステータスが入院中である場合には、前記流用元となる処方箋に含まれる対象の薬剤に対応付けて記憶された薬剤名称の内、院内で利用されるローカル名称を特定して前記新たな処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記流用元となる処方箋に含まれる対象の薬剤に対応付けて記憶された薬剤名称の内、院内外で利用される一般名称を特定して前記新たな処方箋における薬剤名の表記に用いる制御を行う、
ことを含む処理を実行させる処方箋出力方法。
【請求項１３】
コンピュータに、
入院する患者について外来時に出力された院外の処方箋に含まれる薬剤の名称を受け付け、
前記薬剤の名称に対応付けられた薬剤の識別情報を特定し、
特定した前記薬剤の識別情報に対応する薬剤の内、院内で処方可能な薬剤を特定し、薬剤名称として院内で利用されるローカル名称及び院内外で利用される一般名称を前記薬剤の識別情報に対応付けて記憶する記憶部を参照して、特定した薬剤のローカル名称を、院内の処方箋における薬剤名の表記に用いる制御を行う、
ことを含む処理を実行させる処方箋出力方法。
【発明の詳細な説明】
【技術分野】
【０００１】
本発明は、処方箋出力プログラム、処方箋出力装置、及び処方箋出力方法に関する。
【背景技術】
【０００２】
電子カルテシステムなどに入力された情報に基づいて、カルテや処方箋等の伝票を出力することが行われている。
【０００３】
例えば、医療伝票上におけるペン先の座標の時間変化を表す筆跡データを検出し、筆跡データに基づき文字認識を行い、認識された文字列を医療情報データとして保存する医療情報入力システムが提案されている。このシステムでは、認識された省略文字列を正式文字列に変換する変換テーブルを備え、文字認識時に変換テーブルを用いて、カルテ等に記載された略称を正式な名称に変換する。
【先行技術文献】
【特許文献】
【０００４】
【特許文献１】特開平０９−１７１５２８号公報
【発明の概要】
【発明が解決しようとする課題】
【０００５】
ここで、患者に対する薬剤の処方には、医療機関内において薬剤の受け取りが行える院内処方と、医師から処方箋を受け取り、外部の調剤薬局で薬剤を受け取る院外処方とが存在する。院内処方と院外処方とでは、同じ薬剤であっても名称が異なったり、院外では取り扱いがあるが、院内では取り扱っていない薬剤が存在したりする。従って、院内処方か院外処方かに応じて、適切な薬剤の名称が表記された処方箋が出力されることが望ましい。
【０００６】
本発明は、院内処方か院外処方かに応じて、適切な薬剤の名称が表記された処方箋を出力することを目的とする。
【課題を解決するための手段】
【０００７】
本発明は、一つの態様として、患者に対して処方する薬剤の識別情報を含む処方箋を出力する指示を受け付けると、該処方箋に関する患者のステータスが入院中か否かを判別する。そして、薬剤名称として院内で利用されるローカル名称及び院内外で利用される一般名称を対応付けて記憶する記憶部を参照して、前記患者のステータスが入院中である場合には、前記処方箋に含まれる対象の薬剤に対応付けて記憶された薬剤名称の内、院内で利用されるローカル名称を特定して前記処方箋における薬剤名の表記に用いる制御を行う。また、前記患者のステータスが入院中でない場合には、前記処方箋に含まれる対象の薬剤に対応付けて記憶された薬剤名称の内、院内外で利用される一般名称を特定して前記処方箋における薬剤名の表記に用いる制御を行う。
【発明の効果】
【０００８】
一つの側面として、院内処方か院外処方かに応じて、適切な薬剤の名称が表記された処方箋を出力することができる、という効果を有する。
【図面の簡単な説明】
【０００９】
【図１】第１実施形態に係る処方箋出力装置の概略構成を示す機能ブロック図である。
【図２】処方箋データの受け付けを説明するための図である。
【図３】患者情報データベース（ＤＢ）の一例を示す図である。
【図４】薬剤名称ＤＢの一例を示す図である。
【図５】第１実施形態における処方箋画面の一例を示す図である。
【図６】処方箋出力装置として機能するコンピュータの概略構成を示すブロック図である。
【図７】第１実施形態における処方箋出力処理の一例を示すフローチャートである。
【図８】第２実施形態に係る処方箋出力装置の概略構成を示す機能ブロック図である。
【図９】薬剤対応ＤＢの一例を示す図である。
【図１０】第２実施形態における処方箋画面の一例を示す図である。
【図１１】第２実施形態における処方箋出力処理の一例を示すフローチャートである。
【発明を実施するための形態】
【００１０】
以下、図面を参照して、本発明に関する実施形態の一例を詳細に説明する。以下の各実施形態では、電子カルテシステムと連携して、又は電子カルテシステムの機能の一部として動作する処方箋出力装置について説明する。
【００１１】
＜第１実施形態＞
まず、第１実施形態について説明する。
図１に示すように、第１実施形態に係る処方箋出力装置１０は、受付部１１と、判別部１２と、特定部１３と、表示制御部１４と、出力部１５とを含む。
【００１２】
第１実施形態では、処方箋を出力する際、既に作成されている処方箋を複写元として流用して、新たな処方箋を作成して出力することを前提とする。例えば、外来の患者に対して処方した院内処方の処方箋を、院外処方の処方箋に切り替えたい場合、又はその逆の場合がある。この場合、切り替え前の処方箋を複写元の処方箋とする。なお、以下では、院内処方の処方箋を「院内処方箋」、院外処方の処方箋を「院外処方箋」という。
【００１３】
受付部１１は、上記の前提の下で、処方箋出力指示として、複写元の処方箋を示す処方箋データを受け付ける。受付部１１による処方箋データの受け付けの一例を説明する。例えば、図２に示すような処方箋２６が電子カルテシステムの画面上に表示された状態で、メニューから「コピー」が選択された際に、受付部１１は、処方箋２６を示す処方箋データ２７を受け付ける。処方箋データ２７は、少なくとも、その処方箋データ２７が示す処方箋２６が発行された患者を識別するための識別情報（患者ＩＤ）と、その処方箋２６に含まれる薬剤を識別するための識別情報（薬剤ＩＤ）とを含む。図２の例では、処方箋データ２７は、患者ＩＤ及び薬剤ＩＤに加え、処方毎に付与されたレシピ番号（Ｒｐ）と、各薬剤の薬剤名と、用法と、用量（数量及び単位）と、処方量（数量及び単位）との情報を含む。
【００１４】
判別部１２は、患者情報データベース（ＤＢ）２１を参照して、受付部１１が受け付けた複写元の処方箋データ２７に含まれる患者ＩＤが示す患者が入院中か否かを判別する。図３に、患者情報ＤＢ２１の一例を示す。図３の例では、１行（１レコード）が１つの患者情報に相当し、各患者情報は、「患者ＩＤ」、「患者名」、「ステータス」等の項目を含む。「ステータス」の項目には、該当の患者が入院中の患者か、外来で受診中の患者かを示す情報が記録される。例えば、該当の患者が入院中の場合にはステータスを「入院」、入院中でない場合にはステータスを「外来」とすることができる。なお、患者情報ＤＢ２１は、少なくとも患者ＩＤ及びステータスの情報を有していればよく、また、電子カルテシステムで患者に関する情報を管理する患者マスタの情報を用いてもよい。
【００１５】
具体的には、判別部１２は、患者情報ＤＢ２１において、「患者ＩＤ」が、受付部１１で受け付けた複写元の処方箋データに含まれる患者ＩＤと一致する患者情報の「ステータス」を参照する。判別部１２は、参照したステータスが「入院」の場合には、該当の患者は入院中であると判別し、「外来」の場合には、該当の患者は入院中ではないと判別する。
【００１６】
患者が入院中の場合には、その患者に対して発行される処方箋は、院内処方となる。一方、患者が入院中ではない場合（外来の場合）には、患者の希望や医療機関の方針等により院内処方又は院外処方が選択される。
【００１７】
そこで、特定部１３は、判別部１２により患者が入院中であると判別された場合には、薬剤名称ＤＢ２２を参照して、複写元の処方箋に含まれる薬剤について、院内で利用されるローカル名称を特定する。また、特定部１３は、判別部１２により患者が入院中ではないと判別された場合には、新たに作成する処方箋が院内処方か院外処方かを判定する。院内処方の場合には、特定部１３は、上記と同様、薬剤名称ＤＢ２２を参照して、複写元の処方箋に含まれる薬剤について、ローカル名称を特定する。患者が入院中ではなく、新たに作成する処方箋が院外処方の場合には、特定部１３は、薬剤名称ＤＢ２２を参照して、複写元の処方箋に含まれる薬剤について、院内以外で利用される一般名称を特定する。
【００１８】
患者が外来の場合における院内処方か院外処方かの判定は、例えば、特定部１３が、患者の希望や医師の判断により選択された院内処方か院外処方かを示す情報を受け付けて、受け付けた情報に基づいて行うことができる。また、医療機関の方針により、外来の場合には院外処方とする、又は院内処方とするということが予め決まっている場合には、予め決まっている処方を設定しておき、特定部１３がその設定を参照して、院内処方か院外処方かを判定するようにしてもよい。
【００１９】
図４に、薬剤名称ＤＢ２２の一例を示す。図４の例では、１行（１レコード）が１つの薬剤名称情報に相当し、各薬剤名称情報は、「薬剤ＩＤ」、「一般名称」、「ローカル名称」、及び「説明」の項目を有する。「説明」の項目には、該当の薬剤についての一般名称とローカル名称とが一致しているか、相違しているか等の情報が記録される。また、「説明」の項目には、院内又は院外の一方でしか取り扱いがない薬剤については、院外のみ、又は院内のみの取り扱いである旨の情報が記録されてもよい。
【００２０】
具体的には、特定部１３は、複写元の処方箋データに含まれる薬剤ＩＤの各々について、薬剤名称ＤＢ２２において、「薬剤ＩＤ」が、複写元の処方箋データに含まれる薬剤ＩＤと一致する薬剤名称情報を特定する。そして、特定部１３は、一般名称を特定する場合には、特定した薬剤名称情報の「一般名称」に記録されている名称を抽出し、ローカル名称を特定する場合には、特定した薬剤名称情報の「ローカル名称」に記録されている名称を抽出する。特定部１３は、一般名称又はローカル名称を抽出する際に、その薬剤名称情報の「説明」の情報も抽出する。
【００２１】
表示制御部１４は、受付部１１で受け付けた複写元の処方箋データが示す処方箋と、新たに作成する処方箋とを含む処方箋画面を表示装置に表示する。図５に、処方箋画面３０の一例を示す。図５の例では、処方箋画面３０は、複写元処方箋表示領域３１と、複写先処方箋表示領域３２とを含む。
【００２２】
表示制御部１４は、複写元処方箋表示領域３１に、複写元の処方箋データを予め定めたフォーマットに埋め込んだ複写元の処方箋を表示する。また、表示制御部１４は、複写先処方箋表示領域３２に、複写元の処方箋データの薬剤名以外の項目と、特定部１３により特定された薬剤の名称とを、予め定めたフォーマットに埋め込んだ複写先の処方箋を表示する。従って、例えば、院外処方箋を複写元として院内処方箋を作成する場合には、複写元の院外処方箋において一般名称で表記されている薬剤の名称が、複写先の院内処方箋ではローカル名称で表記される。
【００２３】
また、複写先処方箋表示領域３２に表示する複写先の処方箋には、特定部１３で薬剤の名称と共に抽出した「説明」の情報を表記する。なお、「説明」の情報の表記は、特定部１３で抽出された「説明」の情報をそのまま表記する場合に限定されず、「説明」の内容に応じて文言を変えた表記としてもよい。例えば、「説明」の情報が、ローカル名称と一般名称とが相違することを表す情報である場合には、「成分・規格一致薬剤です」のように、名称のみが異なる旨のコメントを表記することができる。これにより、複写先の処方箋に含まれる薬剤の名称が、複写元の処方箋内における薬剤の名称から変更されたか、そのままか、又は対応する薬剤が存在しないかなどを把握し易くなる。
【００２４】
また、表示制御部１４は、複写先処方箋表示領域３２に表示された複写先の処方箋の各項目の情報を編集可能な状態で表示する。また、処方箋画面３０は、複写先の処方箋の内容を確定する際に選択される確定ボタン３３と、処方箋画面３０を閉じる際に選択される閉じるボタン３４とを含む。なお、表示制御部１４は、複写先処方箋表示領域３２に表示された複写先の処方箋に、ブランクの項目や不適切な値が入力されている項目がある場合には、確定ボタン３３を選択不可の状態で表示する。不適切な値が入力されているか否かの判定は、例えば、項目毎に判定テーブルを用意しておくなど、従来既知の手法を用いることができる。
【００２５】
出力部１５は、処方箋画面３０の確定ボタン３３が選択されたことを検知すると、複写先処方箋表示領域３２に表示されている複写先の処方箋をプリンタから出力する。また、出力部１５は、複写先処方箋表示領域３２に表示されている複写先の処方箋を示す処方箋データを、電子カルテシステムで管理される処方箋マスタに反映する。
【００２６】
処方箋出力装置１０は、例えば、図６に示すコンピュータ４０で実現することができる。コンピュータ４０はＣＰＵ４１、一時記憶領域としてのメモリ４２、及び不揮発性の記憶部４３を備える。また、コンピュータ４０は、表示装置及び入力装置等の入出力装置４８が接続される入出力インターフェース（Ｉ／Ｆ）４４を備える。また、コンピュータ４０は、記録媒体４９に対するデータの読み込みと書き込みとを制御するｒｅａｄ／ｗｒｉｔｅ（Ｒ／Ｗ）部４５、及びインターネット等のネットワークに接続されるネットワークＩ／Ｆ４６を備える。ＣＰＵ４１、メモリ４２、記憶部４３、入出力Ｉ／Ｆ４４、Ｒ／Ｗ部４５、及びネットワークＩ／Ｆ４６は、バス４７を介して互いに接続される。
【００２７】
記憶部４３は、ＨＤＤ（Hard Disk Drive）、ＳＳＤ（solid state drive）、フラッシュメモリ等によって実現できる。記憶媒体としての記憶部４３には、コンピュータ４０を処方箋出力装置１０として機能させるための処方箋出力プログラム５０が記憶される。また、記憶部４３は、患者情報ＤＢ２１を構成するデータである患者情報が記憶される患者情報記憶領域６１と、薬剤名称ＤＢ２２を構成するデータである薬剤名称情報が記憶される薬剤名称情報記憶領域６２とを有する。
【００２８】
ＣＰＵ４１は、処方箋出力プログラム５０を記憶部４３から読み出してメモリ４２に展開し、処方箋出力プログラム５０が有するプロセスを順次実行する。また、ＣＰＵ４１は、患者情報記憶領域６１からデータを読み出して、患者情報ＤＢ２１をメモリ４２に展開し、薬剤名称情報記憶領域６２からデータを読み出して、薬剤名称ＤＢ２２をメモリ４２に展開する。
【００２９】
処方箋出力プログラム５０は、受付プロセス５１と、判別プロセス５２と、特定プロセス５３と、表示制御プロセス５４と、出力プロセス５５とを有する。ＣＰＵ４１は、受付プロセス５１を実行することで、図１に示す受付部１１として動作する。また、ＣＰＵ４１は、判別プロセス５２を実行することで、図１に示す判別部１２として動作する。また、ＣＰＵ４１は、特定プロセス５３を実行することで、図１に示す特定部１３として動作する。また、ＣＰＵ４１は、表示制御プロセス５４を実行することで、図１に示す表示制御部１４として動作する。また、ＣＰＵ４１は、出力プロセス５５を実行することで、図１に示す出力部１５として動作する。これにより、処方箋出力プログラム５０を実行したコンピュータ４０が、処方箋出力装置１０として機能することになる。
【００３０】
なお、処方箋出力プログラム５０により実現される機能は、例えば半導体集積回路、より詳しくはＡＳＩＣ（Application Specific Integrated Circuit）等で実現することも可能である。
【００３１】
次に、第１実施形態に係る処方箋出力装置１０の作用について説明する。例えば、図２に示すような処方箋２６が電子カルテシステムの画面上に表示された状態で、メニューから「コピー」が選択された際に、処方箋２６を示す処方箋データ２７が、処方箋出力指示として、処方箋出力装置１０に送出される。処方箋出力装置１０では、受付部１１が、処方箋出力指示としての処方箋データ２７を受け付けると、図７に一例を示す処方箋出力処理が実行される。
【００３２】
図７に示す処方箋出力処理のステップＳ１１で、判別部１２が、患者情報ＤＢ２１において、「患者ＩＤ」が、受付部１１で受け付けた複写元の処方箋データに含まれる患者ＩＤと一致する患者情報の「ステータス」の情報を参照する。そして、判別部１２は、参照したステータスの情報に基づいて、該当の患者が入院中か否かを判別する。判別部１２は、ステータスが「入院」の場合には、該当の患者は入院中であると判別し、処理はステップＳ１３へ移行する。一方、判別部１２は、ステータスが「外来」の場合には、該当の患者は入院中ではない（外来）と判別し、処理はステップＳ１２へ移行する。
【００３３】
ステップＳ１２では、特定部１３が、新たに作成する処方箋が院内処方か院外処方かを判定する。院内処方の場合には、処理はステップＳ１３へ移行し、院外処方の場合には、処理はステップＳ１４へ移行する。
【００３４】
ステップＳ１３では、特定部１３が、複写元の処方箋データに含まれる薬剤ＩＤの各々について、薬剤名称ＤＢ２２において、「薬剤ＩＤ」が、複写元の処方箋データに含まれる薬剤ＩＤと一致する薬剤名称情報を特定する。そして、特定部１３は、特定した薬剤名称情報の「ローカル名称」に記録されている名称、及び「説明」の情報を抽出する。
【００３５】
一方、ステップＳ１４では、特定部１３が、複写元の処方箋データに含まれる薬剤ＩＤの各々について、薬剤名称ＤＢ２２において、「薬剤ＩＤ」が、複写元の処方箋データに含まれる薬剤ＩＤと一致する薬剤名称情報を特定する。そして、特定部１３は、特定した薬剤名称情報の「一般名称」に記録されている名称、及び「説明」の情報を抽出する。
【００３６】
次に、ステップＳ１５で、表示制御部１４が、例えば、図５に示すように、複写元処方箋表示領域３１と、複写先処方箋表示領域３２とを含む処方箋画面３０を表示装置に表示する。表示制御部１４は、複写元処方箋表示領域３１に、複写元の処方箋データを予め定めたフォーマットに埋め込んだ複写元の処方箋を表示する。また、表示制御部１４は、複写先処方箋表示領域３２に、複写元の処方箋データの薬剤名以外の項目と、特定部１３により特定された薬剤の名称とを、予め定めたフォーマットに埋め込んだ複写先の処方箋を表示する。さらに、表示制御部１４は、複写先処方箋表示領域３２に表示する複写先の処方箋に、特定部１３で薬剤の名称と共に抽出した「説明」の情報に基づくコメントを表記する。
【００３７】
次に、ステップＳ１６で、出力部１５が、処方箋画面３０の確定ボタン３３が選択されたか否かを判定する。選択されていない場合には、本ステップの判定を繰り返す。なお、確定ボタン３３が選択されるまでの間、表示制御部１４は、処方箋画面３０の複写先処方箋表示領域３２に表示された複写先の処方箋の各項目に対する編集を受け付ける。確定ボタン３３が選択された場合には、処理はステップＳ１７へ移行する。
【００３８】
ステップＳ１７では、出力部１５が、複写先処方箋表示領域３２に表示されている複写先の処方箋をプリンタから出力すると共に、電子カルテシステムで管理される処方箋マスタに反映する。上記ステップＳ１３を経由して本ステップへ処理が移行した場合には、本ステップで出力される処方箋は院内処方箋である。また、上記ステップＳ１４を経由して本ステップへ処理が移行した場合には、本ステップで出力される処方箋は院外処方箋である。処方箋が出力されると、処方箋出力処理は終了する。
【００３９】
以上説明したように、第１実施形態に係る処方箋出力装置によれば、患者が入院中か否か、外来の場合には院内処方と院外処方とのいずれが選択されているかに応じて、新たに作成して出力する処方箋が院内処方か院外処方かを判別する。そして、処方箋に含まれる薬剤の名称を、院内処方の場合にはローカル名称で表記し、院外処方の場合には一般名称で表記する。従って、院内処方か院外処方かに応じて、適切な薬剤の名称が表記された処方箋を出力することができる。
【００４０】
このため、例えば、処方箋の種別を院内処方から院外処方へ、又は院外処方から院内処方へ切り替える場合に、新たに作成する処方箋とは異なる種別の処方箋を複写元として流用することができる。また、種別の異なる処方箋を流用したとしても、新たに作成する処方箋においては、その新たに作成する処方箋の種別に応じた薬剤の名称が表記されるため、医師が処方箋の種別に応じて薬剤名の再入力を行うなどの手間を削減することができる。
【００４１】
なお、医療機関において、外来の患者に対する処方箋は院外処方と決まっている場合には、処方箋出力処理（図７）のステップＳ１１で否定判定（外来）の場合に、ステップＳ１２の判定を省略して、そのままステップＳ１４へ移行するようにしてもよい。すなわち、特定部１３は、判別部１２により患者が入院中と判別された場合には、複写元の処方箋に含まれる薬剤についてローカル名称を特定し、患者が入院中ではないと判別された場合には、一般名称を特定すればよい。
【００４２】
＜第２実施形態＞
次に、第２実施形態について説明する。なお、第１実施形態に係る処方箋出力装置１０と同様の部分については、同一符号を付して、詳細な説明を省略する。
図８に示すように、第２実施形態に係る処方箋出力装置２１０は、受付部１１と、特定部２１３と、表示制御部２１４と、出力部１５とを含む。
【００４３】
第２実施形態では、ある患者が入院した際に処方する入院用の処方箋（院内処方箋）を、その患者が外来で受診した際に処方した院外処方箋を複写元として流用して作成することを前提とする。
【００４４】
受付部１１は、上記の前提の下で、第１実施形態と同様に、処方箋出力指示として、複写元の処方箋である外来時の院外処方箋を示す処方箋データを受け付ける。例えば、該当の患者が外来で受診した際に処方した院外処方箋を電子カルテシステムの画面上に表示した状態で、メニューから「院内処方箋作成」が選択された際に、受付部１１は、院外処方箋を示す処方箋データを受け付ける。
【００４５】
特定部２１３は、薬剤対応ＤＢ２３を参照して、複写元の処方箋に含まれる院外処方の薬剤に対応する、院内で処方可能な薬剤を特定する。
【００４６】
図９に、薬剤対応ＤＢ２３の一例を示す。図９の例では、１行（１レコード）が１つの薬剤対応情報に相当し、各薬剤対応情報は、「院外薬剤ＩＤ」、「院外薬剤」、「院内薬剤ＩＤ」、「院内薬剤」、及び「院外−院内対応」の項目を含む。「院外薬剤ＩＤ」の項目には、院外で処方可能な院外薬剤の薬剤ＩＤが記録される。「院外薬剤」の項目には、「院外薬剤ＩＤ」が示す薬剤の名称が記録される。「院内薬剤ＩＤ」の項目には、「院外薬剤」と一致又は同等の成分及び規格の院内で処方可能な院内薬剤の薬剤ＩＤが記録される。「院内薬剤」の項目には、「院内薬剤ＩＤ」が示す薬剤の名称が記録される。「院外薬剤」と一致又は同等の成分及び規格の院内薬剤が複数存在する場合には、それら全てを「院外薬剤ＩＤ」に対応付けて記録する。
【００４７】
「院外−院内対応」の項目には、「院外薬剤」と「院内薬剤」との対応を示す情報が記録される。例えば、「院外−院内対応」の項目には、名称、成分、及び規格の全てが一致している、名称は異なるが成分及び規格は一致している、成分及び規格が同等である、院外薬剤に対応する院内薬剤が存在しない、等を示す情報が記録される。なお、薬剤対応ＤＢ２３は、院内薬剤の情報を対応付ける院外薬剤の識別情報を「院外薬剤ＩＤ」とする場合に限定されず、院外薬剤の名称をキーとして、院内薬剤の情報を対応付けるようにしてもよい。
【００４８】
具体的には、特定部２１３は、複写元の処方箋データに含まれる薬剤ＩＤの各々について、薬剤対応ＤＢ２３において、「院外薬剤ＩＤ」が、複写元の処方箋データに含まれる薬剤ＩＤと一致する薬剤対応情報を特定する。そして、特定部１３は、特定した薬剤対応情報の「院内薬剤ＩＤ」、「院内薬剤」、及び「院外−院内対応」の各項目の情報を抽出する。
【００４９】
表示制御部２１４は、受付部１１で受け付けた複写元の処方箋データが示す院外処方箋と、新たに作成する院内処方箋とを含む処方箋画面を表示装置に表示する。図１０に、処方箋画面２３０の一例を示す。図１０の例では、処方箋画面２３０は、院外処方箋表示領域２３１と、院内処方箋表示領域２３２とを含む。院外処方箋表示領域２３１は、第１実施形態における複写元処方箋表示領域３１と同様であるため、詳細な説明を省略する。
【００５０】
表示制御部２１４は、院内処方箋表示領域２３２に、複写元の院外処方箋を示す処方箋データに含まれる薬剤名以外の項目と、特定部１３により特定された院内薬剤の名称とを、予め定めたフォーマットに埋め込んだ院内処方箋を表示する。この際、院外薬剤に対応する院内薬剤が存在しない場合には、表示制御部２１４は、院内処方箋の薬剤名欄をブランクにする（図１０中の破線楕円Ａ）。また、院外薬剤に対応する院内薬剤が複数存在する場合には、表示制御部２１４は、院内処方箋の薬剤名欄を、プルダウン表示などにより、複数の候補からいずれかの院内薬剤を選択可能な状態で表示する（図１０中の破線楕円Ｂ）。
【００５１】
また、表示制御部２１４は、院内処方箋表示領域２３２に表示する院内処方箋に、特定部２１３で抽出した「院外−院内対応」の情報を表記する。なお、「院外−院内対応」の情報の表記は、特定部２１３で抽出された「院外−院内対応」の情報をそのまま表記する場合に限定されず、「院外−院内対応」の内容に応じて文言を変えた表記としてもよい。例えば、「院外−院内対応」の情報が、院外薬剤と院内薬剤とが、名称、成分、及び規格の全てで一致していることを表す内容である場合には、「院内採用薬剤です」のような表記とすることができる。また、院外処方箋に含まれる院外薬剤に対応する院内薬剤が複数存在する場合には、「院外−院内対応」の情報に加え、対応する院内薬剤の候補が複数存在する旨のコメントもあわせて表記してもよい。これにより、院外処方箋に含まれる薬剤が、院内処方箋内において、名称の異なる同一成分及び規格の院内薬剤に変更されたか、院外薬剤に対応する院内薬剤が存在しないか、などを把握し易くなる。また、院外薬剤に対応する院内薬剤を複数の候補から選択する必要があるかなどについても把握することができる。
【００５２】
処方箋出力装置２１０は、例えば、図６に示すコンピュータ４０で実現することができる。記憶媒体としての記憶部４３には、コンピュータ４０を処方箋出力装置２１０として機能させるための処方箋出力プログラム２５０が記憶される。また、記憶部４３は、薬剤対応ＤＢ２３を構成するデータである薬剤対応情報が記憶される薬剤対応情報記憶領域６３を有する。
【００５３】
ＣＰＵ４１は、処方箋出力プログラム２５０を記憶部４３から読み出してメモリ４２に展開し、処方箋出力プログラム２５０が有するプロセスを順次実行する。また、ＣＰＵ４１は、薬剤対応情報記憶領域６３からデータを読み出して、薬剤対応ＤＢ２３をメモリ４２に展開する。
【００５４】
処方箋出力プログラム２５０は、受付プロセス５１と、特定プロセス２５３と、表示制御プロセス２５４と、出力プロセス５５とを有する。ＣＰＵ４１は、特定プロセス２５３を実行することで、図８に示す特定部２１３として動作する。また、ＣＰＵ４１は、表示制御プロセス２５４を実行することで、図８に示す表示制御部２１４として動作する。他のプロセスについては、第１実施形態における処方箋出力プログラム５０と同様である。これにより、処方箋出力プログラム２５０を実行したコンピュータ４０が、処方箋出力装置２１０として機能することになる。
【００５５】
なお、処方箋出力プログラム２５０により実現される機能は、例えば半導体集積回路、より詳しくはＡＳＩＣ等で実現することも可能である。
【００５６】
次に、第２実施形態に係る処方箋出力装置２１０の作用について説明する。例えば、該当の患者が外来で受診した際に処方した院外処方箋を電子カルテシステムの画面上に表示した状態で、メニューから「院内処方箋作成」が選択された際に、院外処方箋を示す処方箋データが、処方箋出力指示として、処方箋出力装置２１０に送出される。処方箋出力装置２１０では、受付部１１が、処方箋出力指示としての院外処方箋を示す処方箋データを受け付けると、図１１に一例を示す処方箋出力処理が実行される。なお、第１実施形態における処方箋出力処理と同様の処理については、同一符号を付して、詳細な説明を省略する。
【００５７】
図１１に示す処方箋出力処理のステップＳ２１で、特定部２１３が、複写元の処方箋データに含まれる薬剤ＩＤの各々について、薬剤対応ＤＢ２３において、「院外薬剤ＩＤ」が、複写元の処方箋データに含まれる薬剤ＩＤと一致する薬剤対応情報を特定する。そして、特定部１３は、特定した薬剤対応情報の「院内薬剤ＩＤ」、「院内薬剤」、及び「院外−院内対応」の各項目の情報を抽出する。
【００５８】
次に、ステップＳ２２で、表示制御部２１４が、特定部１３により抽出された情報に基づいて、院外処方箋に含まれる院外薬剤と、名称、成分、及び規格の全てが一致する院内薬剤が存在するか否かを判定する。存在する場合には、処理はステップＳ２３へ移行し、表示制御部２１４は、院外処方箋に含まれる薬剤の名称がそのまま院内処方箋の薬剤名欄に表記されるように設定する。
【００５９】
一方、上記ステップＳ２２で否定判定される場合には、処理はステップＳ２４へ移行し、表示制御部２１４が、特定部１３により抽出された情報に基づいて、院外処方箋に含まれる院外薬剤と、成分及び規格が同等の院内薬剤が存在するか否かを判定する。存在する場合には、処理はステップＳ２５へ移行し、表示制御部２１４が、院外薬剤と成分及び規格が同等の院内薬剤の候補が複数存在するか否かを判定する。候補が複数存在する場合には、処理はステップＳ２６へ移行し、表示制御部２１４が、院内処方箋の薬剤名欄を、プルダウン表示などにより、複数の候補からいずれかの院内薬剤を選択可能に設定する。
【００６０】
候補が１つしか存在しない場合には、処理はステップＳ２７へ移行し、表示制御部２１４が、院内処方箋の薬剤名欄に、院外薬剤と成分及び規格が同等の院内薬剤の薬剤名が表記されるように設定する。
【００６１】
一方、上記ステップＳ２４で否定判定される場合には、処理はステップＳ２８へ移行し、表示制御部２１４は、院内処方箋の薬剤名欄をブランクに設定する。
【００６２】
以下、第１実施形態における処方箋出力処理と同様に、ステップＳ１５〜Ｓ１７が実行される。なお、上記ステップＳ２１〜Ｓ２８の処理は、院外処方箋に含まれる薬剤毎に実行される。
【００６３】
以上説明したように、第２実施形態に係る処方箋出力装置によれば、外来時の院外処方箋を流用して、入院した際の院内処方箋を作成して出力する際に、院外処方箋に含まれる薬剤に対応する院内薬剤を特定する。そして、特定した院内薬剤の薬剤名を院内処方箋に含まれる薬剤の薬剤名として表記する。従って、院外処方箋を流用して院内処方箋を作成しても、適切な薬剤の名称が表記された処方箋を出力することができる。
【００６４】
また、院外薬剤に対応する院内薬剤が複数存在する場合には、複数の候補を選択可能な状態で表示したり、院外薬剤に対応する院内薬剤が存在しない場合には、院内処方箋の薬剤名欄をブランクにしたりする。これにより、院外処方箋を流用して院内処方箋を作成する際に、医師が薬剤名の再入力を行うなどの手間を軽減することができる。
【００６５】
なお、第２実施形態では、外来時の院外処方箋を流用して、入院した際の院内処方箋を作成して出力する場合について説明したが、逆の場合にも本発明を適用可能である。すなわち、入院中に処方した院内処方箋を流用して、退院後の外来時の院外処方箋を作成して出力する場合である。この場合、院外処方箋を作成する際の複写元の処方箋は院内処方箋となるため、院内薬剤と一致又は同等の成分及び規格の院外薬剤を院内薬剤ＩＤに対応付けた薬剤対応ＤＢを用意しておけばよい。
【００６６】
また、第１実施形態では、院内処方か院外処方かに応じて、複写元の処方箋から薬剤の名称を変換する場合について説明したが、第１実施形態においても、第２実施形態の内容を適用することができる。すなわち、複写元の処方箋に含まれる薬剤を、複写先の処方箋の種別に応じて、対応する院内薬剤又は院外薬剤に変換するようにしてもよい。
【００６７】
なお、上記第１及び第２実施形態では、処方箋出力指示として受け付ける複写元の処方箋データに薬剤名を含む場合について説明したが、これに限定されない。例えば、複写元の処方箋が院内処方箋か院外処方箋かの情報を処方箋データに含めておくことができる。そして、処方箋画面３０の複写元処方箋表示領域３１に表示する複写元の処方箋の薬剤名欄には、処方箋データに含まれる薬剤ＩＤをキーに、院内処方箋か院外処方箋かに対応して名称を、薬剤名称ＤＢ２２から抽出して表示するようにしてもよい。
【００６８】
また、上記第１及び第２実施形態では、処方箋出力指示を受け付けると、処方箋画面の表示、新たな処方箋の作成、作成した処方箋の印字及び処方箋マスタへの反映を実行する場合について説明したが、これに限定されない。例えば、新たな処方箋に対する編集が必要ない場合には、複写元の処方箋に含まれる薬剤の名称を、複写先の処方箋が院内処方か院外処方かに応じて変換した新たな処方箋を、処方箋画面の表示を行うことなく、印字したり、処方箋マスタへ反映したりしてもよい。
【００６９】
なお、上記では、処方箋出力プログラム５０、２５０が記憶部４３に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記録媒体に記録された形態で提供することも可能である。
【００７０】
以上の各実施形態に関し、更に以下の付記を開示する。
【００７１】
（付記１）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でない場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させるための処方箋出力プログラム。
【００７２】
（付記２）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させるための処方箋出力プログラム。
【００７３】
（付記３）
前記処方箋を出力する指示と共に、該指示に応じて出力する新たな処方箋の流用元となる処方箋のデータを受け付け、
前記対象の薬剤を、前記流用元となる処方箋に含まれる薬剤とする
付記１又は付記２記載の処方箋出力プログラム。
【００７４】
（付記４）
前記流用元となる処方箋における薬剤名の表記と、前記新たな処方箋における薬剤名の表記とが一致するか相違するかを示す情報を、前記新たな処方箋に含める付記３記載の処方箋出力プログラム。
【００７５】
（付記５）
コンピュータに、
入院する患者に処方されている薬剤の名称を受け付け、
前記薬剤の名称に対応付けられた薬剤の識別情報を特定し、
特定した前記薬剤の識別情報に対応する薬剤の内の病院内で処方可能な薬剤を特定して出力する制御を行う、
ことを含む処理を実行させるための処方箋出力プログラム。
【００７６】
（付記６）
前記病院内で処方可能な薬剤として、前記入院する患者に処方されている薬剤と、名称、成分、及び規格が一致する薬剤か、又は、前記入院する患者に処方されている薬剤と、成分及び規格が同等の薬剤を特定する付記５記載の処方箋出力プログラム。
【００７７】
（付記７）
前記病院内で処方可能な薬剤として、前記同等の薬剤が複数特定された場合には、特定された複数の薬剤を選択可能な状態で出力する付記６記載の処方箋出力プログラム。
【００７８】
（付記８）
前記病院内で処方可能な薬剤として、前記一致する薬剤又は前記同等の薬剤が特定されたか否か、及び前記同等の薬剤が特定された場合には、複数特定されたか否かを示す情報を、前記特定した薬剤と共に出力する付記６又は付記７記載の処方箋出力プログラム。
【００７９】
（付記９）
患者に対して処方する薬剤の識別情報を含む処方箋を出力する指示を受け付けると、該処方箋に関する患者のステータスが入院中か否かを判別する判別部と、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でない場合には、前記処方箋に含まれる対象の薬剤に対応付けて記憶された薬剤名称の内、院内以外で利用される一般名称を特定して前記処方箋における薬剤名の表記に用いる制御を行う表示制御部と、
を含む処方箋出力装置。
【００８０】
（付記１０）
患者に対して処方する薬剤の識別情報を含む処方箋を出力する指示を受け付けると、該処方箋に関する患者のステータスが入院中か否かを判別する判別部と、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記処方箋に含まれる対象の薬剤に対応付けて記憶された薬剤名称の内、院内以外で利用される一般名称を特定して前記処方箋における薬剤名の表記に用いる制御を行う表示制御部と、
を含む処方箋出力装置。
【００８１】
（付記１１）
前記処方箋を出力する指示と共に、該指示に応じて出力する新たな処方箋の流用元となる処方箋のデータを受け付け、
前記対象の薬剤を、前記流用元となる処方箋に含まれる薬剤とする
付記９又は付記１０記載の処方箋出力装置。
【００８２】
（付記１２）
前記表示制御部は、前記流用元となる処方箋における薬剤名の表記と、前記新たな処方箋における薬剤名の表記とが一致するか相違するかを示す情報を、前記新たな処方箋に含める付記１１記載の処方箋出力装置。
【００８３】
（付記１３）
入院する患者に処方されている薬剤の名称を受け付け受付部と、
前記薬剤の名称に対応付けられた薬剤の識別情報を特定し、特定した前記薬剤の識別情報に対応する薬剤の内の病院内で処方可能な薬剤を特定して出力する制御を行う制御部と、
を含む処方箋出力装置。
【００８４】
（付記１４）
前記制御部は、前記病院内で処方可能な薬剤として、前記入院する患者に処方されている薬剤と、名称、成分、及び規格が一致する薬剤か、又は、前記入院する患者に処方されている薬剤と、成分及び規格が同等の薬剤を特定する付記１３記載の処方箋出力装置。
【００８５】
（付記１５）
前記制御部は、前記病院内で処方可能な薬剤として、前記同等の薬剤が複数特定された場合には、特定された複数の薬剤を選択可能な状態で出力する付記１４記載の処方箋出力装置。
【００８６】
（付記１６）
前記制御部は、前記病院内で処方可能な薬剤として、前記一致する薬剤又は前記同等の薬剤が特定されたか否か、及び前記同等の薬剤が特定された場合には、複数特定されたか否かを示す情報を、前記特定した薬剤と共に出力する付記１４又は付記１５記載の処方箋出力装置。
【００８７】
（付記１７）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でない場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させる処方箋出力方法。
【００８８】
（付記１８）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させる処方箋出力方法。
【００８９】
（付記１９）
前記処方箋を出力する指示と共に、該指示に応じて出力する新たな処方箋の流用元となる処方箋のデータを受け付け、
前記対象の薬剤を、前記流用元となる処方箋に含まれる薬剤とする
付記１７又は付記１８記載の処方箋出力方法。
【００９０】
（付記２０）
前記流用元となる処方箋における薬剤名の表記と、前記新たな処方箋における薬剤名の表記とが一致するか相違するかを示す情報を、前記新たな処方箋に含める付記１９記載の処方箋出力方法。
【００９１】
（付記２１）
コンピュータに、
入院する患者に処方されている薬剤の名称を受け付け、
前記薬剤の名称に対応付けられた薬剤の識別情報を特定し、
特定した前記薬剤の識別情報に対応する薬剤の内の病院内で処方可能な薬剤を特定して出力する制御を行う、
ことを含む処理を実行させる処方箋出力方法。
【００９２】
（付記２２）
前記病院内で処方可能な薬剤として、前記入院する患者に処方されている薬剤と、名称、成分、及び規格が一致する薬剤か、又は、前記入院する患者に処方されている薬剤と、成分及び規格が同等の薬剤を特定する付記２１記載の処方箋出力方法。
【００９３】
（付記２３）
前記病院内で処方可能な薬剤として、前記同等の薬剤が複数特定された場合には、特定された複数の薬剤を選択可能な状態で出力する付記２２記載の処方箋出力方法。
【００９４】
（付記２４）
前記病院内で処方可能な薬剤として、前記一致する薬剤又は前記同等の薬剤が特定されたか否か、及び前記同等の薬剤が特定された場合には、複数特定されたか否かを示す情報を、前記特定した薬剤と共に出力する付記２２又は付記２３記載の処方箋出力方法。
【００９５】
（付記２５）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でない場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させるための処方箋出力プログラム
を記憶した記憶媒体。
【００９６】
（付記２６）
コンピュータに、
患者に対して処方する薬剤の識別情報を含む処方箋を出力する指示を受け付けると、該処方箋に関する患者のステータスが入院中か否かを判別し、
前記患者のステータスが入院中である場合には、前記処方箋に含まれる対象の薬剤に対応付けて記憶された薬剤名称の内、院内で利用されるローカル名称を特定して前記処方箋における薬剤名の表記に用い、前記患者のステータスが入院中でなく、かつ前記処方箋の種別が院内処方の場合には、前記処方箋に含まれる対象の薬剤に対応付けて記憶された薬剤名称の内、前記ローカル名称を特定して前記処方箋における薬剤名の表記に用い、前記患者のステータスが入院中でなく、かつ前記処方箋の種別が院外処方の場合には、前記処方箋に含まれる対象の薬剤に対応付けて記憶された薬剤名称の内、院内以外で利用される一般名称を特定して前記処方箋における薬剤名の表記に用いる制御を行う、
ことを含む処理を実行させるための処方箋出力プログラム
を記憶した記憶媒体。
【００９７】
（付記２７）
コンピュータに、
入院する患者に処方されている薬剤の名称を受け付け、
前記薬剤の名称に対応付けられた薬剤の識別情報を特定し、
特定した前記薬剤の識別情報に対応する薬剤の内の病院内で処方可能な薬剤を特定して出力する制御を行う、
ことを含む処理を実行させるための処方箋出力プログラム
を記憶した記憶媒体。
【符号の説明】
【００９８】
１０、２１０  処方箋出力装置
１１   受付部
１２   判別部
１３、２１３  特定部
１４、２１４  表示制御部
１５   出力部
２１   患者情報データベース（ＤＢ）
２２   薬剤名称ＤＢ
２３   薬剤対応ＤＢ
２６   処方箋
２７   処方箋データ
３０、２３０  処方箋画面
３１   複写元処方箋表示領域
３２   複写先処方箋表示領域
２３１ 院外処方箋表示領域
２３２ 院内処方箋表示領域
３３   確定ボタン
４０   コンピュータ
４１   ＣＰＵ
４２   メモリ
４３   記憶部
５０、２５０  処方箋出力プログラム
【図１】
0006657574.tif 000002
【図２】
0006657574.tif 000003
【図３】
0006657574.tif 000004
【図４】
0006657574.tif 000005
【図５】
0006657574.tif 000006
【図６】
0006657574.tif 000007
【図７】
0006657574.tif 000008
【図８】
0006657574.tif 000009
【図９】
0006657574.tif 000010
【図１０】
0006657574.tif 000011
【図１１】
0006657574.tif 000012